(57)【要約】【課題】遮断器本体が断路位置にある場合のみ操作制御回路の断路部を断路可能とするとともに、構造簡単で安価とする。【解決手段】遮断器本体２を操作制御する操作制御回路のキュービクル側断路部５を操作部７により操作可能とするとともに、カバー８により操作部７を下面側からのみ接触可能なように覆い、遮断器本体２が断路位置に位置しているときに、操作部７の下面側がレール３により遮られないことにより、操作部７を移動可能とし、キュービクル側断路部５を遮断器本体側断路部４から引き抜くことを可能とする。【選択図】図１
2006340523.tif 000002
【特許請求の範囲】
【請求項１】
キュービクル内において板状のレール上に手前側の断路位置と奥側の接続位置とに移動自在に載置された移動形の遮断器本体と、遮断器本体に設けられ、遮断器本体を投入遮断制御する操作制御回路の配線の断路を行う遮断器本体側断路部と、この遮断器本体側断路部と抜き差し自在に設けられ、操作制御回路の配線と接続されたキュービクル側断路部と、キュービクル側断路部を抜き差しするように操作する操作部と、操作部を下面側からのみ接触可能なように覆い、遮断器本体が断路位置に位置しているときのみ板状のレールに遮られることなく操作部に接触可能とするカバーとを備えたことを特徴とする移動形遮断器のインターロック装置。
【発明の詳細な説明】
【技術分野】
【０００１】
この発明は、受配電設備のキュービクルに格納された移動形遮断器のインターロック装置、特に手動連結式の操作制御回路のインターロック装置に関するものである。
【背景技術】
【０００２】
この出願の発明に関連する先行技術文献としては、特許文献１があり、これは、移動形遮断器の遮断部が投入状態にある時には、遮断器本体が接続位置から断路位置、あるいは断路位置から接続位置へ動かすことができないようにしたものである。
【０００３】
又、受配電設備のキュービクルに格納された移動形遮断器の操作制御回路は、遮断器本体から回路の断路部（コネクタ）を介してキュービクル内配線に接続され、遮断器本体の投入、遮断の操作を電気的に制御する。ところで、移動形遮断器は、その操作の安全性及び便宜上の観点から、次のような機械的インターロック条件を備える必要がある。即ち、遮断器本体は、接続位置（運転位置）にある場合には、操作制御回路の断路部が接続状態の時に限り、投入操作が可能でなければならない。又、遮断器本体は、接続位置にあるとともに、投入状態にある場合に、主回路に事故が発生した場合には、自動的に遮断されなければならない。さらに、遮断器本体が接続位置にある場合には、操作制御回路の断路部が容易に断路できない構造でなければならない。
【特許文献１】特開平９−８４２２６号公報
【発明の開示】
【発明が解決しようとする課題】
【０００４】
上記したように、一般的な移動形遮断器においては、種々の機械的インターロック条件を備える必要があるため、遮断器本体の接続、断路位置によって回路の断路部（コネクタ）が引き抜き可能か否かをメカニカルに判別するようなリンク機構が必要となり、遮断器本体、位置検出機構、断路部の構造がそれぞれに複雑となり、コストもその分アップした。
【０００５】
この発明は上記のような課題を解決するために成されたものであり、遮断器本体が断路位置にある場合のみ操作制御回路の断路部を断路することができ、移動形遮断器の必要条件を満足させることができるとともに、構造が簡単で製造が容易であり、コストダウンが可能な移動形遮断器のインターロック装置を得ることを目的とする。
【課題を解決するための手段】
【０００６】
この発明の請求項１に係る移動形遮断器のインターロック装置は、キュービクル内において板状のレール上に手前側の断路位置と奥側の接続位置とに移動自在に載置された移動形の遮断器本体と、遮断器本体に設けられ、遮断器本体を投入遮断制御する操作制御回路の配線の断路を行う遮断器本体側断路部と、この遮断器本体側断路部と抜き差し自在に設けられ、操作制御回路の配線と接続されたキュービクル側断路部と、キュービクル側断路部を抜き差しするように操作する操作部と、操作部を下面側からのみ接触可能なように覆い、遮断器本体が断路位置に位置しているときのみ板状のレールに遮られることなく操作部に接触可能とするカバーとを備えたものである。
【発明の効果】
【０００７】
以上のようにこの発明によれば、操作制御回路のキュービクル側断路部を抜き差しするように操作する操作部を設けるとともに、操作部を下面側からのみ接触可能なように覆い、遮断器本体が断路位置に位置しているときのみ板状のレールに遮られることなく操作部に接触可能とするカバーを設けたので、遮断器本体が接続位置に位置しているときには、操作部はその下面側以外はカバーに覆われるとともに、操作部の下面側は板状のレールに遮られるので、操作部への接触は不可能となる。このため、キュービクル側断路部を操作する操作部が操作不可能となり、キュービクル側断路部を遮断器本体側断路部から引き抜くことができず、操作制御回路は断路不能となる。又、遮断器本体が断路位置に位置しているときには、操作部の下面側はレールに遮られないので接触可能となり、操作部を操作してキュービクル側断路部を遮断器本体側断路部から引き抜くことができ、断路可能となる。従って、移動形遮断器の必要条件を満足させることができる。又、カバーは操作部を下面側のみ接触可能なように覆うだけであるから、これらの構造は簡単となり、製造が容易で安価となる。
【発明を実施するための最良の形態】
【０００８】
以下、この発明を実施するための最良の形態を図面とともに説明する。図１はこの発明の実施最良形態による受配電設備のキュービクルの内部を透視した斜視図、図２は各構成部材の斜視図を示し、キュービクル１内においては、移動形の遮断器本体２が固定された板状のレール３上に移動可能に載置され、手前側が断路位置、奥側が接続位置である。遮断器本体２には遮断器本体２に操作制御信号を送ってその投入遮断制御を行う操作制御回路の配線の断路を行う断路部（コネクタ）４が設けられ、またキュービクル１側にも操作制御回路の断路部（コネクタ）５が設けられ、断路部５には操作制御回路の配線６が接続される。断路部５は断路部４に対して抜き差し自在となっている。操作部７はキュービクル１側の断路部５を移動する際に操作し、カバー８は配線６の挿通孔８ａを有するとともに、操作部７をその下面側からのみ接触可能なように覆う。
【０００９】
上記構成において、断路部５を断路部４から断路、即ち引き抜く際には、操作部７を移動させる必要がある。しかし、操作部７はカバー８により下面側からのみ接触可能なように覆われており、遮断器本体２がレール３の奥側の接続位置に位置しているときに、断路部５が断路部４と接続されている場合には、操作部７はその下面側以外はカバー８により覆われ、操作部７の下面側は板状のレール３により遮られるので、指で接触することができず、操作部７を動かすことができないので、断路部５を断路部４から引き抜くことができず、操作制御回路を断路することができない。又、遮断器本体２がレール３上の手前側の断路位置に位置しているときに、断路部５が断路部４に接続されている場合には、操作部７の下面側はレール３に遮られないので、操作部７を指で動かすことができ、断路部５を断路部４から引き抜くことができる。
【００１０】
上記した実施最良形態においては、遮断器本体２がレール３上の手前側に位置する断路位置に位置している場合のみ、断路部５を断路部４から引き抜くことができ、操作制御回路の断路が可能となる。従って、遮断器本体２がレール３上の奥側に位置する接続位置（運転位置）においては、操作部７は下面側をレール３により遮られて操作部７を指で動かすことができないので、断路部５を断路部４から引き抜くことができず、容易に断路することができない。又、遮断器本体２が接続位置にある場合には、操作制御回路が接続されているときに限り、遮断器本体２の投入操作が可能となる。さらに、遮断器本体２が接続位置にあるときであって、遮断器本体２が投入状態の場合に、主回路に事故が発生した場合には遮断器本体２を自動的に遮断する、という移動形遮断器の各必要条件を満足させることができる。
【００１１】
又、カバー8は操作部7を下面側のみ接触可能なように覆うだけであるから、これらの構造は簡単となり、製造が容易で安価となる。さらに、カバー８は直接的には操作部７を覆い、間接的にはキュービクル側断路部５を覆うので、配線６を保護し、信頼性を向上することができる。
【図面の簡単な説明】
【００１２】
【図１】この発明の実施最良形態による受配電設備のキュービクルの内部を透視した斜視図である。
【図２】実施最良形態による各構成部材の斜視図である。
【符号の説明】
【００１３】
１…キュービクル
２…遮断器本体
３…レール
４…断路部(遮断器本体側)
５…断路部(キュービクル側)
６…配線
７…操作部
８…カバー
【図１】
2006340523.tif 000003
【図２】
2006340523.tif 000004